(57)【要約】【課題】長方形の鶏舎であっても、一方の側面から吸気して、他方の側面から排気するという基本的な構成を保ちながら、鶏舎内部の温度差の解消や十分な換気を得ること。【解決手段】ウインドウレス鶏舎の換気構造において、鶏舎の１側面に外気取り入れ口が配置された長さの異なる複数のダクトを屋根近くに配置し、ダクトの終端に開口した吹き出し口の先に垂れ壁を垂設して、吹き出した空気が拡散されるように構成し、長い鶏舎であってもどの部分も十分に外気によって換気されるように構成した。【選択図】図１
2008148567.tif 000002
【特許請求の範囲】
【請求項１】
ほぼ密閉式の鶏舎の１側面から外気を取り入れて、他側面から排気することによって、前記鶏舎の内部を換気するように構成された鶏舎の換気構造において、
前記１側面に外気取り入れ口が配置された長さの異なる複数の通気路を形成し、
前記長さの異なる複数の通気路の終端に開口した吹き出し口が、前記鶏舎の異なる位置に配置されているとともに、
前記外気取り入れ口から前記吹き出し口へ向かう空気流を発生させる空気流発生手段が備えられていることを特徴とする鶏舎の換気構造。
【請求項２】
前記長さの異なる複数の通気路の吹き出し口は、同じ方向に向かって吹き出すように開口していることを特徴とする請求項１に記載の鶏舎の換気構造。
【請求項３】
前記鶏舎の平面視形状は、長方形状とし、
前記外気取り入れ口が配置された１側面は、平面視短辺側の側面とし、
前記通気路は、平面視長辺に並行に配置され、
前記吹き出し口は、前記１側面に対向する他の平面視短辺側の側面に向かって吹き出すように開口していることを特徴とする請求項１、２の何れか１項に記載の鶏舎の換気構造。
【請求項４】
前記通気路は鶏舎の天井もしくは屋根近くに配設され、
前記各吹き出し口の近傍には、吹き出し方向を下方に向ける吹き出し方向調整手段が配設されていることを特徴とする請求項１、２、３の何れか１項に記載の鶏舎の換気構造。
【発明の詳細な説明】
【技術分野】
【０００１】
本発明は、鶏舎を効果的に換気するための構造に関するものである。
【背景技術】
【０００２】
開放形でなくほぼ密閉形の鶏舎において、鶏舎の一方の妻面に設けた外気取り入れ口から外気を取入れ、他方の妻面の排気口に取付けた排気ファンから排出するように構成された平面視長方形状の鶏舎の換気構造では、外気取り入れ口に近い部分と、排気口に近い部分とでは、同じ鶏舎の内部でも温度差が大きくなり、排気口に近い部分では新鮮な外気が得られないという問題があった。
そこで、鶏舎の長手方向両側壁のほぼ中央部と、ケージ列の排気口に近い端部に対応する部分との間に延びる補助外気取り入れ口を設け、該補助外気取り入れ口の出口の入気調整板の開閉及び開度を、補助外気取り入れ口の前後の鶏舎内に設けた温度センサーからの信号により調整するように構成した鶏舎の構造が提案されている。（例えば、特許文献１参照）
【０００３】
【特許文献１】特開平９−１０２号公報
【発明の開示】
【発明が解決しようとする課題】
【０００４】
前記特許文献１に記載の鶏舎の構造では、鶏舎の妻面だけでなく、鶏舎の長手方向両側壁にも外気取り入れ口を設けるので、鶏舎の並び方に制約が生じるという問題がある。
また、鶏舎の側壁から取り込んだ外気は、鶏舎の内部の側壁に近いケージには供給されるが、鶏舎の中央に近い部分のケージには届きにくいという問題があり、ケージの列数が多い鶏舎には採用しにくいという問題があった。
【０００５】
そこで、本発明は、長方形の鶏舎であっても、一方の側面から吸気して、他方の側面から排気するという基本的な構成を保ちながら、鶏舎内部の温度差の解消や十分な換気を得ることを目的としてなされたものである。
【課題を解決するための手段】
【０００６】
本発明の請求項１の鶏舎の換気構造は、
ほぼ密閉式の鶏舎の１側面から外気を取り入れて、他側面から排気することによって、前記鶏舎の内部を換気するように構成された鶏舎の換気構造において、
前記１側面に外気取り入れ口が配置された長さの異なる複数の通気路を形成し、
前記長さの異なる複数の通気路の終端に開口した吹き出し口が、前記鶏舎の異なる位置に配置されているとともに、
前記外気取り入れ口から前記吹き出し口へ向かう空気流を発生させる空気流発生手段が備えられていることを特徴としている。
請求項２では、
前記長さの異なる複数の通気路の吹き出し口は、同じ方向に向かって吹き出すように開口している。
請求項３では、
前記鶏舎の平面視形状は、長方形状とし、
前記外気取り入れ口が配置された１側面は、平面視短辺側の側面とし、
前記通気路は、平面視長辺に並行に配置され、
前記吹き出し口は、前記１側面に対向する他の平面視短辺側の側面に向かって吹き出すように開口している。
請求項４では、
前記通気路は鶏舎の天井もしくは屋根近くに配設され、
前記各吹き出し口の近傍には、吹き出し方向を下方に向ける吹き出し方向調整手段が配設されている。
【発明の効果】
【０００７】
本発明にかかる鶏舎の換気構造によれば、
鶏舎の１側面に外気取り入れ口が配置された長さの異なる複数の通気路を形成して、前記通気路の吹き出し口が、前記鶏舎内部空間において、異なる位置に配置されているので、鶏舎の内部空間の複数箇所に新鮮が外気が供給されることになり、優れた換気効果が得られる。そして、鶏舎の内部空間の温度差が均されるので優れた育成環境が得られる。
また、前記通気路の各吹き出し口の近傍には、吹き出し方向を下方に向ける吹き出し方向調整手段が配設されているので、通気路から吹き出した外気は、種々の方向に拡散されて、鶏舎の内部空間にまんべんなく供給される。
また、ケージの列数が多い鶏舎の場合には、通期路の本数を増やすことによって、どの部分の列のケージにも新鮮な外気を供給することができる。
【発明を実施するための最良の形態】
【０００８】
以下に、本発明にかかる鶏舎の換気構造を、その実施の形態を示した図１、２、３に基づいて詳細に説明する。
１は、ほぼ密閉式でウインドレス型式の鶏舎であり、平面視長方形状となっている。
１１は、前記鶏舎の短辺側の１側面であり、１２は、この１側面１１に対向する他の側面である。１３は多段・多列のケージである。
前記鶏舎１の内部には、屋根から例えば３枚の垂れ壁３１、３２、３３が、ケージ１３の高さの位置近く（床から約３〜４ｍ程度の高さ）まで垂設されている。
前記垂れ壁３１、３２、３３は、前記各ダクトの吹き出し口の、吹き出し方向の近傍に、前記吹き出し方向にほぼ直角に垂設されて、吹き出された空気の流れを下方に変えるように配設されている。
前記３つの垂れ壁３１、３２、３３によって、前記鶏舎１の内部の上部空間は、長手方向に４つの区画に区分されている。
【０００９】
２１〜２６は、前記鶏舎の１側面１１に外気取り入れ口が開口し、鶏舎１の屋根近くに配設されたダクトであり、短いダクト２１、２６と、中間長さのダクト２２、２５と、長いダクト２３、２４とから構成されて、通気路が形成されている。
前記短いダクト２１、２６の外気取り入れ口は前記１側面１１に開口し、吹き出し口は前記垂れ壁３１の近傍に開口している。
前記中間長さのダクト２２、２５の外気取り入れ口は前記１側面１１に開口し、吹き出し口は前記垂れ壁３２の近傍に開口している。
前記短いダクト２３、２４の外気取り入れ口は前記１側面１１に開口し、吹き出し口は前記垂れ壁３３の近傍に開口している。
このようにして、長さの異なるダクトの吹き出し口は、異なる位置に開口し、同じ方向（鶏舎の長手方向、他の側面１２に向かう方向）に吹き出すように開口している。
【００１０】
前記他の側面１２には、複数の排気ファン４、４、４、・・・が空気流発生手段として設けられている。
これらの排気ファン４が作動すると、鶏舎１においては、図上、左側から右側への空気流が発生する。この空気流に伴って前記ダクト２１〜２６の外気取り入れ口から導入された外気はダクト２１〜２６に誘導されてそれぞれの吹き出し口から鶏舎内に吹き出す。
このとき、前記１側面１１に形成された外気取り入れ口から導入された外気は、主にケージ１３の図上の左側から供給される。
【００１１】
そして、ダクト２１、２６から吹き出した外気は、その近傍に垂設されている垂れ壁３１に当たって下向きに向きを変えて、主にケージ１３の図上の左側に近い部分に供給される。
ダクト２２、２５から吹き出した外気は、その近傍に垂設されている垂れ壁３２に当たって下向きに向きを変えて、主にケージ１３の図上の中央部分に供給される。
ダクト２３、２４から吹き出した外気は、その近傍に垂設されている垂れ壁３３に当たって下向きに向きを変えて、主にケージ１３の図上の右側に近い部分に供給される。
このようにして、長い列状のケージの長手方向に沿って、４つの異なる部分から新鮮な外気が供給されるので、長いケージであっても、当該ケージの各部がほぼ均等・適切に換気されるのである。
【００１２】
なお、鶏舎１の内外の温度に基づいて前記ファン４の風量を制御する制御手段を備えてもよい。
また、ダクトの数と配置と長さは、図示した例に限定されるものではなく、鶏舎の形状、大きさなどに応じて、適宜設定することができる。例えば、天井近くではなく、床面近くに配置したり、中間高さに配置したりすることもできる。また、鶏舎の平面視形状が長方形状でなく例えば多角形や扇形などの場合でも、各ダクトの吹き出し口を鶏舎の内部の異なる場所に散在させることによって、鶏舎内部の全体的な換気を可能とすることができる。
空気流発生手段の配置場所は、１側面でも、他側面でも、外気取り入れ口でも、吹き出し口でも、ダクトの途中でもよい。
吹き出し方向調整手段は、垂れ壁に限らず、垂れ幕でも、パネルや案内羽根などでもよく、吹き出し口の形状を空気を拡散させる形状にしたものでもよいが、実施例では、３枚の垂れ壁を用いた。
【図面の簡単な説明】
【００１３】
【図１】本発明にかかる鶏舎の換気構造の実施の形態の側面断面図である。
【図２】前記鶏舎の換気構造におけるダクトと垂れ壁の平面配置図である。
【図３】図１のＡ−Ａ線断面図である。
【符号の説明】
【００１４】
１  鶏舎
１１  １側面
１２  他の側面
１３  ケージ
２１〜２６  ダクト、通気路
３１、３２、３３  垂れ壁
４  排気ファン、空気流発生手段
【図１】
2008148567.tif 000003
【図２】
2008148567.tif 000004
【図３】
2008148567.tif 000005